(57)【特許請求の範囲】
【請求項１】
両端部が上方に反るように形成した弓部の中間部下方に柄部を形成し、該弓部の両端部に連設して扇面部を形成するとともに、前記弓部と前記扇面部の下端周辺部との間に空間部を設けて前記扇面部を搖動しやすくし、該空間部に前記弓部より形象体を延設した合成樹脂製の団扇において、該形象体の一部分を前記扇面部の下端周辺部に連結させた搖動調整部を設けることにより、前記扇面部の搖動の度合いを調整するように構成したことを特徴とする団扇。
【発明の詳細な説明】
【技術分野】
【０００１】  本発明は、扇面部の搖動をほどよい搖動に調整した、扇ぎやすい団扇に関するものである。
【背景技術】
【０００２】  扇ぎやすい団扇に関する先行技術として、扇面に透かし織りの織布を貼り付けた「団扇」がある（例えば、特許文献１参照）。
また、扇面を薄肉に形成するとともに、骨体と柄を厚肉に形成した合成樹脂製の扇ぎやすい団扇の先行技術として「団扇」がある（例えば、特許文献２参照）。
【特許文献１】  特開平１０−１２７３２６号公報（請求項１〜２，図１〜２）
【特許文献２】  特開２００５−２８７６７４号公報（請求項１〜５，図１〜２）
【発明の開示】
【発明が解決しようとする課題】
【０００３】  従来の団扇には、扇面部の搖動が少ないという欠点がある。
また、扇面部に搖動を生じさせる構成に進化がなく、扇面部の搖動を調整する新規な提案もなかった。
本願発明は、上記実情に鑑み、扇面部に搖動を生じさせる新規な構成を創案したうえ、その扇面部の搖動をほどよい搖動に調整した、扇ぎやすい団扇を提供しようとするものである。
【課題を解決するための手段】
【０００４】  上記課題を解決するため、本発明の団扇は、両端部が上方に反るように形成した弓部の中間部下方に柄部を形成し、該弓部の両端部に連設して扇面部を形成するとともに、前記弓部と前記扇面部の下端周辺部との間に空間部を設けて前記扇面部を搖動しやすくし、該空間部に前記弓部より形象体を延設した合成樹脂製の団扇において、該形象体の一部分を前記扇面部の下端周辺部に連結させた搖動調整部を設けることにより、前記扇面部の搖動の度合いを調整するように構成する。
【発明の効果】
【０００５】  本発明の方法によると、弓部と扇面部の下端周辺部との間に空間部を設けて扇面部の搖動をしやすくした団扇において、弓部より延設した形象体の一部分を扇面部の下端周辺部に連結させた搖動調整部を設けることで、過剰になりがちな搖動や不安定になりがちな搖動を抑制するように調整し、ほどよい搖動の扇ぎやすい団扇を提供することができる。【０００６】  本発明では、扇面部の下端周辺部に連結させた搖動調整部の、肉厚、太さ、数量などを調整することによって、過剰になりがちな搖動や不安定になりがちな搖動の度合いを調整することができる。【０００７】  また、本発明による団扇では、扇面部の搖動の度合いを調整する搖動調整部が、形象体の一部分であるため、デザインの多様化を図ることが容易である。
【発明を実施するための最良の形態】
【０００８】  本発明の団扇は、柄部、弓部、扇面部、形象体、搖動調整部、を合成樹脂によって一体に形成する。
本発明での柄部とは、弓部の中間部下方に形成される部分をいい、弓部と交わっている部分は弓部に含まれるものとする。
同様に、本発明での弓部とは、両端部が上方に反るように形成された弓形部分をいい、柄部の付け根より上部の、弓部と交わっている部分は弓部に含まれるものとする。
扇面部は、弓部と繋がらない骨体を設ける実施形態と、骨体を設けない実施形態を任意に選択できる。
上記のいずれの扇面部にも、扇面部の表面及び／又は裏面に、宣伝や装飾のためのプリントを施す実施形態やプリントシートなどを貼着する実施形態を任意に選択することができる。
弓部の中間部下方に形成する柄部は、適宜な太さと適宜な肉厚に形成する。
従来の団扇では、多くの場合、弓部から放射状に延出させた複数の骨体を扇面全体に均等に設けることによって、弓部と協働させて、扇面部を支持するよう構成されていた。
また、弓部から放射状に延出させた骨体を設けない従来例では、扇面部の下端周辺部の全体を弓部全体と連設する形に形成し、扇面部を弓部全体で直接的に支持するような形態に構成されていた。
本発明の団扇では、弓部と扇面部の下端周辺部との間に空間部を設け、扇面部が弓部の両端部によって支持されるよう構成し、扇面部を搖動しやすくしている。
この場合、扇面部の搖動は過剰になりがちで、搖動が不安定になりがちとなる。【０００９】  そこで、本発明の団扇では、上記空間部に、弓部より形象体を一体に延設したうえ、該象体の一部分を扇面部の下端周辺部に連結させた搖動調整部を設け、扇面部の過剰な搖動を抑制するように調整するように構成する。
なお、形象体の一部分を扇面部の下端周辺部に連結させる形態には、形象体の一部分を直接、扇面部の下端周辺部に連結させる形態のほか、形象体の一部分から骨体などを延出させて、間接的に扇面部の下端周辺部に連結させる形態が含まれる。
また、搖動調整部の数や搖動調整部の形状については、特に限定されない。【００１０】  扇面部の搖動の度合いの調整は、扇面部の下端周辺部に連結させる搖動調整部の、肉厚、太さ、数量などを調整して、扇面部の搖動の度合いを調整するよう構成する。【００１１】  弓部の両端部に連設する扇面部の実施形態には、扇面部の下端周辺部を、中央部が上方に湾曲する弓形に形成する形態、扇面部の下端周辺部を水平に形成する形態、扇面部の下端周辺部を、中央部が下方に湾曲する弓形に形成する形態などがあり、任意に選択することができる。【００１２】  本発明による団扇では、扇面部の搖動の度合いを調整する搖動調整部が、形象体の一部分であるため、デザインの多様化を図ることが容易である。
【実施例１】
【００１３】    以下図面に基づいて実施例を説明する。
図１は、本発明の団扇の一実施例を示す平面図である。
実施例では、両端部が上方に反るよう形成した弓部（１）の、中間部下方に柄部（２）を形成するとともに、弓部（１）の両端部に連設して扇面部（３）を、熱可塑性樹脂により一体に形成して団扇（４）を得ている。
なお、弓部（１）と柄部（２）が交わっている部分は、弓部（１）に含まれている。
実施例では、扇面部（３）は、骨体を設けない形で形成し、その扇面部（３）の下端周辺部（５）は、中央部が上方に湾曲する弓形（Ａ）に形成する形態が選択されている。
上記により、弓部（１）と扇面部（３）の下端周辺部（５）との間に空間部（６）を設け、扇面部（３）が弓部（１）の両端部によって支持されるよう構成し、扇面部（３）を搖動しやすくしている。
実施例では、空間部（６）には、弓部（１）より、富士山形に形成した形象体（７）を延設している。
さらに、実施例では、富士山形に形成した形象体（７）の一部分として形成した雲形を搖動調整部（８）として形成し、扇面部（３）の下端周辺部（５）に連結させ、左右に各１本ずつ設けている。
ここでは、形象体（７）の一部分として形成した雲形から骨体を延出させ、間接的に扇面部（３）の下端周辺部（５）に連結させている。
また、扇面部（３）の表面には、任意に選択できる実施形態の一例として、プリントシート（Ｃ）が貼着されている。
なお、プリントシート（Ｃ）の絵柄の図示は省略されている。
【図面の簡単な説明】
【００１４】
【図１】本発明による団扇の一実施例を示す平面図である。
【符号の説明】
【００１５】    １  弓部
２  柄部
３  扇面部
４  団扇
５  扇面部の下端周辺部
６  空間部
７  形象体
８  搖動調整部
Ａ  中央部が上方に湾曲する弓形
Ｂ  搖動の度合いを調整
Ｃ  プリントシート
【要約】
【課題】  従来の団扇には、扇面部の搖動が少ないという欠点がある。
また、扇面部に搖動を生じさせる構成に進化がなく、扇面部の搖動を調整する新規な提案もなかった。
本願発明は、上記実情に鑑み、扇面部に搖動を生じさせる新規な構成を創案したうえ、その扇面部の搖動をほどよい搖動に調整した、扇ぎやすい団扇を提供しようとするものである。
【解決手段】上記課題を解決するため、本発明の団扇は、両端部が上方に反るように形成した弓部の中間部下方に柄部を形成し、該弓部の両端部に連設して扇面部を形成するとともに、前記弓部と前記扇面部の下端周辺部との間に空間部を設けて前記扇面部を搖動しやすくし、該空間部に前記弓部より形象体を延設した合成樹脂製の団扇において、該形象体の一部分を前記扇面部の下端周辺部に連結させた搖動調整部を設けることにより、前記扇面部の搖動の度合いを調整するように構成する。
【選択図】図１【図１】
0005388258.tif 000002